(57)【要約】【課題】発光素子の電気的変動に対する光色の変化を低減できる。【解決手段】発光モジュールは、複数種類の発光素子を備えている。複数種類の発光素子は、第１種類の発光素子及び第２種類の発光素子を含む。第１座標位置Ａ（Ｉ０）は、複数種類の発光素子の電気的変動に伴って変位する。第１座標位置Ａ（Ｉ０）は、第１種類の発光素子が発する光の色度図での座標位置である。第２座標位置Ｂ（Ｉ０）は、上記電流変動に伴って、第１座標位置Ａ（Ｉ０）とは異なるように変位する。第２座標位置Ｂ（Ｉ０）は、第２種類の発光素子が発する光の色度図での座標位置である。上記電気的変動が生じたとき、第３座標位置Ｃ（Ｉ０）が変位する第３変位量は、第１座標位置Ａ（Ｉ０）が変位する第１変位量及び第２座標位置Ｂ（Ｉ０）が変位する第２変位量よりも小さい。第３座標位置Ｃ（Ｉ０）は、複数種類の発光素子が発する光の合成光の色度図での座標位置である。【選択図】図２
2020021622.tif 000002
【特許請求の範囲】
【請求項１】
第１種類の発光素子及び第２種類の発光素子を含む複数種類の発光素子と、
前記複数種類の発光素子が設けられた基板と、を備え、
前記第１種類の発光素子が発する光の色度図での座標位置である第１座標位置は、前記複数種類の発光素子に生じる電気的変動に伴って変位し、
前記第２種類の発光素子が発する光の色度図での座標位置である第２座標位置は、前記電気的変動に伴って、前記第１座標位置とは異なるように変位し、
前記電気的変動が生じたとき、前記複数種類の発光素子が発する光の合成光の色度図での座標位置である第３座標位置が変位する第３変位量は、前記第１座標位置が変位する第１変位量及び前記第２座標位置が変位する第２変位量よりも小さい
発光モジュール。
【請求項２】
前記複数種類の発光素子は、２種類の発光素子である
請求項１に記載の発光モジュール。
【請求項３】
前記複数種類の発光素子は、第３種類の発光素子を更に含み、
前記第３種類の発光素子が発する光の色度図での座標位置である第４座標位置は、前記電気的変動に伴って、前記第１座標位置及び前記第２座標位置とは異なるように変位し、
前記電気的変動が生じたとき、前記第３座標位置が変位する前記第３変位量は、前記第１座標位置が変位する前記第１変位量、前記第２座標位置が変位する前記第２変位量、及び前記第４座標位置が変位する第４変位量よりも小さい
請求項１に記載の発光モジュール。
【請求項４】
前記電気的変動が生じたとき、前記第１座標位置と前記第２座標位置とは、互いに逆方向に変位する
請求項１〜３の何れか１項に記載の発光モジュール。
【請求項５】
前記電気的変動は、前記複数種類の発光素子に流れる電流の変動である
請求項１〜４の何れか１項に記載の発光モジュール。
【請求項６】
前記電気的変動は、前記複数種類の発光素子に印加される電圧の変動である
請求項１〜４の何れか１項に記載の発光モジュール。
【請求項７】
前記電気的変動は、前記複数種類の発光素子に供給される電力が制御されることで、制御可能である
請求項１〜６の何れか１項に記載の発光モジュール。
【請求項８】
請求項１〜７の何れか１項に記載の発光モジュールと、
前記発光モジュールの前記複数種類の発光素子に供給される電力を制御する電源装置と、を備える
照明装置。
【発明の詳細な説明】
【技術分野】
【０００１】
本開示は、発光モジュール及び照明装置に関し、より詳細には、複数種類の発光素子を備えた発光モジュール及び照明装置に関する。
【背景技術】
【０００２】
特許文献１に記載の発光モジュールは、複数の発光部を備えている。複数の発光部は、同一種類の発光部である。発光モジュールが発する光は、複数の発光部の発する光の合成光で構成されている。
【先行技術文献】
【特許文献】
【０００３】
【特許文献１】特開２０１４−１２０７０８号公報
【発明の概要】
【発明が解決しようとする課題】
【０００４】
特許文献１に記載の発光モジュールでは、複数の発光部は、同一種類の発光部であるため、複数の発光部の各々の電気−色度特性は同じである。電気−色度特性とは、色度図において、発光部に電気的変動（例えば電流変動又は電圧変動）が生じたときの、発光部が発する光の色度図での座標位置の変位を示す特性である。
【０００５】
このため、特許文献１に記載の発光モジュールでは、発光モジュールの調光を制御するために、発光モジュールの複数の発光部に流れる電流又は電圧を変化させると、複数の発光部の光色が同じように変化する。この結果、発光モジュールが発する光（すなわち複数の発光部が発する光の合成光）の光色が大きく変化するという問題がある。
【０００６】
本開示は、上記の問題に鑑みてなされたものであり、複数の発光素子に生じる電気的変動に伴う光色の変化を低減できる発光モジュール及び照明装置を提供することを目的とする。
【課題を解決するための手段】
【０００７】
本開示の一態様に係る発光モジュールは、複数種類の発光素子と、基板と、を備えている。前記複数種類の発光素子は、第１種類の発光素子及び第２種類の発光素子を含む。前記基板は、前記複数種類の発光素子が設けられている。前記第１種類の発光素子が発する光の色度図での座標位置である第１座標位置は、前記複数種類の発光素子に生じる電気的変動に伴って変位する。前記第２種類の発光素子が発する光の色度図での座標位置である第２座標位置は、前記電気的変動に伴って、前記第１座標位置とは異なるように変位する。前記電気的変動が生じたとき、前記複数種類の発光素子が発する光の合成光の色度図での座標位置である第３座標位置が変位する第３変位量は、前記第１座標位置が変位する第１変位量及び前記第２座標位置が変位する第２変位量よりも小さい。
【０００８】
本開示の一態様に係る照明装置は、前記発光モジュールと、電源装置と、を備えている。前記電源装置は、前記発光モジュールの前記複数種類の発光素子に供給される電力を制御する。
【発明の効果】
【０００９】
本開示によれば、複数種類の発光素子の電気的変動に伴う合成光の光色の変化を低減できる、という効果を有する。
【図面の簡単な説明】
【００１０】
【図１】図１Ａは、実施形態１に係る発光モジュールを示す平面図である。図１Ｂは、同上の発光モジュール１における図１ＡのＡ−Ａ線断面図である。
【図２】図２Ａは、第１種類の発光素子の電流−色度特性を示す図である。図２Ｂは、第２種類の発光素子の電流−色度特性を示す図である。図２Ｃは、２種類の発光素子の各々の電流−色度特性、及び発光モジュールの合成光の電流−色度特性を示す図である。
【図３】図３は、実施形態１の変形例１における２種類の発光素子の各々の電流−色度特性を示す図である。
【図４】図４Ａ〜図４Ｄは、電流−色度特性の一例を示す図である。
【図５】図５は、実施形態１の変形例４における色度変位中心を説明する図である。
【図６】図６は、実施形態１の変形例５における制限範囲を説明する図である。
【図７】図７は、実施形態１の変形例６における発光モジュールを示す平面図である。
【図８】図８は、実施形態１の変形例７における２種類の発光素子の各々の電流−色度特性、及び発光モジュールの合成光の電流−色度特性を示す図である。
【図９】図９は、実施形態２に係る発光モジュールを示す平面図である。
【図１０】図１０Ａは、第３種類の発光素子の電流−色度特性を示す図である。図１０Ｂは、３種類の発光素子の各々の電流−色度特性、及び発光モジュールの合成光の電流−色度特性を示す図である。
【図１１】図１１Ａ及び図１１Ｂは、実施形態２の変形例１における３種類の発光素子の各々の電流−色度特性、及び発光モジュールの合成光の電流−色度特性を示す図である。
【図１２】図１２は、４種類の発光素子の各々の電流−色度特性、及び発光モジュールの合成光の電流−色度特性を示す図である。
【図１３】図１３は、実施形態３に係る発光モジュールにおける２種類の発光素子の各々の電圧−色度特性、及び発光モジュールの合成光の電圧−色度特性を示す図である。
【図１４】図１４Ａは、第３種類の発光素子の電圧−色度特性を示す図である。図１４Ｂは、３種類の発光素子の各々の電圧−色度特性、及び、発光モジュールの合成光の電圧−色度特性を示す図である。
【図１５】図１５は、実施形態３の変形例２における２種類の発光素子の電圧−色度特性、及び発光モジュールの合成光の電圧−色度特性を示す図である。
【図１６】図１６Ａは、実施形態４に係る照明装置を示す斜視図である。図１６Ｂは、同上の照明装置の一部拡大図である。
【図１７】図１７は、同上の照明装置を示す電気的構成を示すブロック図である。
【図１８】図１８は、実施形態４の変形例１に係る照明装置の電気的構成を示すブロック図である。
【発明を実施するための形態】
【００１１】
（実施形態１）
図１Ａ〜図２Ｃを参照して、本実施形態に係る発光モジュール１について説明する。本実施形態に係る発光モジュール１は、例えば、建物（戸建住宅若しくは集合住宅等の住宅施設、又は事務所、店舗、学校若しくは介護施設等の非住宅施設等）の天井等に設置され、室内等を照らす照明装置の光源として使用可能である。
【００１２】
発光モジュール１は、複数種類（例えば２種類）の発光素子５１，５２を備えている（図１Ａ参照）。本実施形態では、後述するように、複数種類の発光素子５１，５２に電気的変動が生じたとき、第３座標位置が変位する第３変位量が、第１座標位置が変位する第１変位量及び第２座標位置が変位する第２変位量よりも小さくなっている。なお、後に詳しく説明するが、第１座標位置は、発光素子５１が発する光の色度図での座標位置である。第２座標位置は、発光素子５２が発する光の色度図での座標位置である。第３座標位置は、発光モジュール１が発する光（すなわち発光素子５１，５２が発する光の合成光）の色度図での座標位置である。これにより、発光モジュール１が発する光（すなわち複数種類の発光素子５１，５２が発する光の合成光）において、複数種類の発光素子５１，５２に生じる電気的変動に伴う光色の変化を低減できる。複数種類の発光素子５１，５２に生じる電気的変動は、複数種類の発光素子５１，５２に供給される電力が制御されることで、制御可能である。すなわち、上記の電気的変動とは、電力制御で制御可能な電気的変動である。以下、発光モジュール１について詳しく説明する。
【００１３】
以下の説明では、複数種類の発光素子５１，５２の電気的変動の一例として、複数種類の発光素子５１，５２に流れる電流が変動する場合で説明する。以下、この変動を電流変動とも記載する。この電流変動は、例えば、発光モジュール１が発する光を調光するときの、複数種類の発光素子５１，５１に流れる電流の制御で発生する。このように、上記の電流変動が調光時の電流制御（すなわち電力制御）で発生する場合は、発光モジュール１が発する光（合成光）において、その光の調光（すなわち電力制御）に伴う光色の変化を低減できる。
【００１４】
発光モジュール１は、図１Ａ及び図１Ｂに示すように、回路基板３（基板）と、複数の発光素子５とを備えている。
【００１５】
複数の発光素子５は、第１種類の発光素子５１及び第２種類の発光素子５２を含む。回路基板３は、複数の発光素子５が設けられる基板である。回路基板３は、回路基板本体３１（基板本体）と、表側導体部３２と、裏側導体部３３とを有する。回路基板本体３１は、例えば矩形の平板状であり、絶縁性を有する部材で形成されている。回路基板本体３１は、表面３１ｄ及び裏面３１ａを有する。表面３１ｄは、回路基板本体３１の両側主面のうちの一方の主面である。裏面３１ａは、回路基板本体３１の両側主面のうちの他方の主面であり、表面３１ｄの反対側の面である。
【００１６】
表側導体部３２は、複数の発光素子５と電気的に接続される導体部を構成している。表側導体部３２は、例えば銅箔として形成されている。表側導体部３２は、回路基板本体３１の表面３１ｄに設けられている。表側導体部３２は、複数の発光素子５を例えば電気的に直列に接続するように、回路基板本体３１の表面３１ｄにパターン形成されている。本実施形態では、表側導体部３２は、複数の導体部３２ａを有する。複数の導体部３２ａは、回路基板本体３１の長手方向に沿って、互いに間隔を空けて配置されている。導体部３２ａは、例えば矩形の薄膜状に形成されている。発光素子５は、２つの電極５５，５６を有する。発光素子５は、隣合う２つの導体部３２ａに跨って配置されている。この状態で、発光素子５の２つの電極５５，５６はそれぞれ、隣合う２つの導体部３２ａに電気的に接続されている。発光素子５の電極５５，５６と導体部３２ａとは、例えばはんだ３４（図１Ｂ参照）で、互いに電気的に接続されている。
【００１７】
裏側導体部３３は、例えば、複数の発光素子５の各々から回路基板３に伝達した熱を放熱する部分である。裏側導体部３３は、例えば銅箔として形成されている。裏側導体部３３は、例えば、回路基板本体３１の裏面３１ａ全体に薄膜状に形成されている。
【００１８】
複数の発光素子５は、発光モジュール１の光源を構成している。すなわち、発光モジュール１が発する光は、複数の発光素子５が発する光の合成光で構成されている。複数の発光素子５は、回路基板３の表面３１ｄに設けられており、表側導体部３２によって互いに電気的に直列に接続されている。したがって、本実施形態では、複数の発光素子５には、同じ電流値の電流が流れる。また、複数の発光素子５に流れる電流が変動したとき、複数の発光素子５に流れる電流は、同じように変動する。
【００１９】
複数の発光素子５は、例えば２種類の発光素子５１，５２で構成されている。以下、一方の種類の発光素子５１を第１種類の発光素子５１とも記載し、他方の種類の発光素子５２を第２種類の発光素子５２とも記載する。
【００２０】
２種類の発光素子５１，５２はそれぞれ、例えば、白色光を発する白色発光ダイオードである。より詳細には、第１種類の発光素子５１は、例えば色温度が２７００Ｋ［ケルビン］の白色光を発する白色発光ダイオードである。第２種類の発光素子５２は、例えば色温度が６５００Ｋの白色光を発する白色発光ダイオードである。２種類の発光素子５１，５２は、例えば、複数個ずつ備えられている。２種類の発光素子５１，５２の発熱は、例えば均一である。本実施形態では、上記のように２種類の発光素子５１，５２の発熱が均一である場合は、２種類の発光素子５１，５２の構成比は、１対１に設定されている。
【００２１】
２種類の発光素子５１，５２は、互いに混在した状態で、回路基板３の長手方向に一列に並んで配置されている。より詳細には、２種類の発光素子５１，５２は、例えば、回路基板３の長手方向に沿って互いに交互に並んで配置されている。発光素子５１，５２は、例えば等間隔で配置されている。なお、本実施形態では、２種類の発光素子５１，５２は、交互に一列に（すなわち規則正しく）配置されるが、２種類の発光素子５１，５２の配列は、互いに混在していれば、規則性なく配置されてもよい。
【００２２】
第１種類の発光素子５１は、例えば図２Ａに示す電流−色度特性Ｓ１を有する。第２種類の発光素子５２は、例えば図２Ｂに示す電流−色度特性Ｓ２を有する。電流−色度特性Ｓ１，Ｓ２は、互いに異なっている。すなわち、電流−色度特性Ｓ１，Ｓ２は、例えば、複数の特性要素のうちの少なくとも１つの特性要素が異なる。なお、特性要素とは、電流−色度特性で与えられる色度図での座標位置の変位の軌跡における形、傾き、長さなどである。電流−色度特性とは、色度図において、発光素子５に流れる電流（順方向電流）に変動が生じたときの、発光素子５が発する光の座標位置の変化（すなわち軌跡）を示す特性である。色度図とは、光色に含まれる赤色、緑色及び青色の混合比のうちの２色（例えば赤色及び緑色）の混合比をｘｙ座標位置で表した図である。例えば、ｘ座標が赤色の混合比を表し、ｙ座標が緑色の混合比を表す。混合比は、光全体に対する各色の光の割合をいう。具体的には、赤色光の混合比は、光全体に対する赤色光の割合をいう。緑色光の混合比は、光全体に対する緑色光の割合をいう。青色光の混合比は、光全体に対する青色光の割合をいう。光色に含まれる赤色、緑色及び青色の混合比の合計は、例えば値１に設定されている。
【００２３】
以下、色度図において、第１種類の発光素子５１に流れる電流の電流値Ｉ０が任意の値のときの、第１種類の発光素子５１が発する光の座標位置を、第１座標位置Ａ（Ｉ０）と記載する（図２Ａ参照）。また、色度図において、第２種類の発光素子５２に流れる電流の電流値Ｉ０が任意の値のときの、第２種類の発光素子５２が発する光の座標位置を、第２座標位置Ｂ（Ｉ０）と記載する（図２Ｂ参照）。なお、図２Ａ等では、第１座標位置Ａ（Ｉ０）は、作図の都合上、或る座標位置に図示されているが、実際は、電流値Ｉ０の変動に伴って変位する座標位置である。同様に、図２Ｂ等に図示された第２座標位置Ｂ（Ｉ０）も、電流値Ｉ０の変動伴って変位する座標位置である。
【００２４】
図２Ａに示す電流−色度特性Ｓ１は、第１種類の発光素子５１に流れる電流の電流値Ｉ０が第１電流値Ｉ１（例えば１０ｍＡ）から第２電流値Ｉ２（例えば１５０ｍＡ）まで変動したときの第１座標位置Ａ（Ｉ０）の変化を示している。図２Ａの第１座標位置Ａ（Ｉ１），Ａ（Ｉ２）はそれぞれ、電流値Ｉ０が第１電流値Ｉ１及び第２電流値Ｉ２のときの第１座標位置Ａ（Ｉ０）である。このように、図２Ａに示す電流−色度特性Ｓ１では、第１種類の発光素子５１に流れる電流の電流値Ｉ０の変動（例えば上昇）に伴って、第１座標位置Ａ（Ｉ０）は、例えば右斜め上方向に変位する。このような第１種類の発光素子５１として、例えば、日亜化学工業株式会社製のＮＦＳＷ７５７ＧＴ−Ｖ３がある。
【００２５】
図２Ｂに示す電流−色度特性Ｓ２は、第２種類の発光素子５２に流れる電流の電流値Ｉ０が第１電流値Ｉ１（例えば１０ｍＡ）から第２電流値Ｉ２（例えば１５０ｍＡ）まで変動したときの第２座標位置Ｂ（Ｉ０）の変位を示している。図２Ｂの第２座標位置Ｂ（Ｉ１），Ｂ（Ｉ２）はそれぞれ、電流値Ｉ０がＩ１、Ｉ２のときの第２座標位置Ｂ（Ｉ０）である。このように、図２Ｂに示す電流−色度特性Ｓ２では、第２種類の発光素子５２に流れる電流の電流値Ｉ０の変動（例えば上昇）に伴って、第２座標位置Ｂ（Ｉ０）は、第１座標位置Ａ（Ｉ０）とは異なるように、例えば左斜め下方向に変位する。このような第２種類の発光素子５２として、例えば、ＳＥＯＵＬ  ＳＥＭＩＣＯＮＤＵＣＴＯＲ社製のＳＴＷ８Ｃ２ＰＢ−Ｅ１がある。
【００２６】
なお、第１電流値Ｉ１及び第２電流値Ｉ２は、例えば、発光モジュール１で使用される電流の範囲（使用可能電流範囲）内の電流値である。第１電流値Ｉ１は、発光素子５１，５２の使用可能電流範囲の最小電流値でもよいし、第２電流値Ｉ２は、発光素子５１，５２の使用可能電流範囲の最大電流値でもよい。
【００２７】
また、電流−色度特性Ｓ１，Ｓ２は、互いに同じ電流範囲（第１電流値Ｉ１から第２電流値Ｉ２までの範囲）で与えられているが、互いに異なる電流範囲で与えられてもよい。例えば、電流−色度特性Ｓ１は、第１電流値Ｉ１（例えば１０ｍＡ）から第２電流値Ｉ２（例えば１５０ｍＡ）までの範囲で与えられ、電流−色度特性Ｓ２は、第３電流値（例えば５ｍＡ）から第４電流値（例えば１６０ｍＡ）までの範囲で与えられてもよい。
【００２８】
このように、２種類の発光素子５１，５２は、互いに異なる電流−色度特性Ｓ１，Ｓ２を有する。したがって、２種類の発光素子５１，５２に流れる電流の電流値Ｉ０が第１電流値Ｉ１から第２電流値Ｉ２まで変動したとき、第１座標位置Ａ（Ｉ０）は、第２座標位置Ｂ（Ｉ０）と異なるように変位する。さらに、本実施形態では、図２Ａ及び図２Ｂに示すように、２種類の発光素子５１，５２に流れる電流の電流値Ｉ０が第１電流値Ｉ１から第２電流値Ｉ２まで変動したとき、第１座標位置Ａ（Ｉ０）及び第２座標位置Ｂ（Ｉ０）は、互いに逆方向に変位する。これにより、後述のように、２種類の発光素子５１，５２に電流変動が生じたとき、発光モジュール１が発する光の色度図での変位量を効果的に小さくできる。
【００２９】
なお、上記の「第１座標位置Ａ（Ｉ０）及び第２座標位置Ｂ（Ｉ０）は、互いに逆方向に変位する」には、次の第１〜第４の場合が含まれる。第１の場合は、色度図において、電流−色度特性Ｓ１，Ｓ２が互いに平行な直線状の線分であり、かつ、第１座標位置Ａ（Ｉ０）及び第２座標位置Ｂ（Ｉ０）の各々の変位の方向が逆方向である場合である。第２の場合は、色度図において、電流−色度特性Ｓ１，Ｓ２の少なくとも一方が直線状でない線分（例えば曲がった線分）である場合において、上記の直線状でない線分を直線で近似することで、第１の場合を満たす場合である。第３の場合は、色度図において、電流−色度特性Ｓ１，Ｓ２が互いに平行でない直線状の直線である場合において、電流−色度特性Ｓ１，Ｓ２の間の狭い方の角度が所定角度（例えば±２０°）以内である場合である。かつ、電流−色度特性Ｓ２を電流−色度特性Ｓ１に平行な直線に射影したとき、第１座標位置Ａ（Ｉ０）の変位の方向と、上記の射影した直線での第２座標位置Ｂ（Ｉ０）の変位の方向とが逆方向である場合である。第４の場合は、色度図において、電流−色度特性Ｓ１，Ｓ２の少なくとも一方が直線状でない線分（例えば曲がった線分）である場合において、上記の直線状でない線分を直線で近似することで、第３の場合を満たす場合である。
【００３０】
発光モジュール１が発する光は、２種類の発光素子５１，５２が発する光の合成光で構成されている。また、発光モジュール１が発する光の電流−色度特性Ｓ３は、図２Ｃに示すように、２種類の発光素子５１，５２の電流−色度特性Ｓ１，Ｓ２に基づいて与えられる。
【００３１】
より詳細には、色度図において、２種類の発光素子５１，５２に流れる電流の電流値Ｉ０が任意の値のときの、発光モジュール１が発する光の座標位置を、第３座標位置Ｃ（Ｉ０）と記載する。この場合、２種類の発光素子５１，５２が発する光の強度が同じであれば、第３座標位置Ｃ（Ｉ０）は、第１座標位置Ａ（Ｉ０）と第２座標位置Ｂ（Ｉ０）との中間位置で与えられる。なお、中間位置とは、例えば、第１座標位置Ａ（Ｉ０）と第２座標位置Ｂ（Ｉ０）との幾何学的な中心位置（すなわち重心位置）である。又は、中間位置とは、第１座標位置Ａ（Ｉ０）と第２座標位置Ｂ（Ｉ０）との代数的な平均位置（すなわち各座標成分同士を加算平均した位置）である。
【００３２】
したがって、２種類の発光素子５１，５２に流れる電流の電流値Ｉ０が第１電流値Ｉ１から第２電流値Ｉ２まで変動するとき、電流−色度特性Ｓ３の始点である第３座標位置Ｃ（Ｉ１）は、第１座標位置Ａ（Ｉ１）と第２座標位置Ｂ（Ｉ１）との中間位置で与えられる。同様に、電流−色度特性Ｓ３の終点である第３座標位置Ｃ（Ｉ２）は、第１座標位置Ａ（Ｉ２）と第２座標位置Ｂ（Ｉ２）との中間位置で与えられる。電流−色度特性Ｓ３は、概略的には、第３座標位置Ｃ（Ｉ１）と第３座標位置Ｃ（Ｉ２）とを結ぶ線分で与えられる。
【００３３】
したがって、２種類の発光素子５１，５２の電流−色度特性Ｓ１，Ｓ２がそれぞれ図２Ａ及び図２Ｂで与えられた場合、発光モジュール１が発する光（合成光）の電流−色度特性Ｓ３は、図２Ｃに示すようになる。なお、図２Ｃにおいて、電流−色度特性Ｓ１に付された矢印は、２種類の発光素子５１，５２に流れる電流の電流値Ｉ０が上昇したときに第１座標位置Ａ（Ｉ０）が変位する方向を示す。同様に、電流−色度特性Ｓ２，Ｓ３に付された矢印は、２種類の発光素子５１，５２に流れる電流の電流値Ｉ０が上昇したときに第２座標位置Ｂ（Ｉ０）及び第３座標位置Ｃ（Ｉ０）が変位する方向を示す。
【００３４】
発光モジュール１では、電流値Ｉ０が第１電流値Ｉ１から第２電流値Ｉ２まで変動したとき、第３座標位置Ｃ（Ｉ０）が変位する第３変位量は、第１座標位置Ａ（Ｉ０）が変位する第１変位量、及び第２座標位置Ｂ（Ｉ０）が変位する第２変位量よりも小さい。換言すると、上記の第１変位量、第２変位量及び第３変位量の間に上記の関係が成立するような電流−色度特性Ｓ１，Ｓ２を有する２種類の発光素子５１，５２が選択されている。
【００３５】
なお、上記の第１変位量は、例えば、第１電流値Ｉ１での第１座標位置Ａ（Ｉ１）と第２電流値Ｉ２での第１座標位置Ａ（Ｉ２）との間の直線距離の長さである。第２変位量及び第３変位量についても第１変位量と同様である。この場合は、発光モジュール１が発する光において、第１電流値Ｉ１での光色と第２電流値Ｉ２での光色とを比較したときの光色の変化が低減される。なお、上記の第１変位量、第２変位量及び第３変位量は、上記の長さに限定されない。例えば、上記の第１変位量は、電流−色度特性Ｓ１に沿った長さであってもよい。同様に、第２変位量及び第３変位量もそれぞれ、電流−色度特性Ｓ２，Ｓ３に沿った長さであってもよい。この場合は、発光モジュール１が発する光において、電流値Ｉ０が第１電流値Ｉ１から第２電流値Ｉ２まで変動したとき、その電流変動の途中の光色の変化も含めて、光色の変化が低減される。
【００３６】
このように、発光モジュール１では、発光モジュール１が発する光（合成光）の電流−色度特性Ｓ３は、２種類の発光素子５１，５２の電流−色度特性Ｓ，Ｓ２に基づいて与えられる。
【００３７】
以上、この実施形態の発光モジュール１によれば、２種類の発光素子５１，５２に流れる電流の電流値Ｉ０が変動したとき、第３座標位置Ｃ（Ｉ０）の第３変位量は、第１座標位置Ａ（Ｉ０）の第１変位量及び第２座標位置Ｂ（Ｉ０）の第２変位量よりも小さい。このため、２種類の発光素子５１，５２が発する光の合成光において、２種類の発光素子５１，５２の電流変動に伴う光色の変化（例えば発光モジュール１の調光時の光色の変化）を低減できる。
【００３８】
また、本実施形態では、２種類の発光素子５１，５２に流れる電流の電流値Ｉ０が第１電流値Ｉ１から第２電流値Ｉ２まで変動したとき、第１座標位置Ａ（Ｉ０）及び第２座標位置Ｂ（Ｉ０）は、互いに逆方向に変位する。このため、第１座標位置Ａ（Ｉ０）の変位と第２座標位置Ｂ（Ｉ０）の変位とが互いに効果的に相殺される。この結果、発光素子５１，５２に流れる電流が変動したとき、発光モジュール１が発する光の色度図での第３座標位置Ｃ（Ｉ０）の第３変位量を効果的に小さくできる。
【００３９】
なお、本実施形態の発光モジュール１は、白色光色の光を発するが、白色光色の光を
発する場合に限定されず、用途によって各種の光色の光を発してもよい。
【００４０】
（実施形態１の変形例）
以下、実施形態１の変形例を列挙する。以下に説明する変形例は、適宜組み合わせて適用可能である。以下に説明する変形例では、実施形態１と異なる点を中心に説明する。以下の変形例では、実施形態１と同じ部分については、同じ符号を付して説明を省略する場合がある。
【００４１】
（変形例１）
実施形態１では、２種類の発光素子５１，５２の構成比は、１対１に設定されたが、２種類の発光素子５１，５２の構成比は、２種類の発光素子５１，５２の色度図での座標位置の変位量に応じて設定されてもよい。
【００４２】
例えば、２種類の発光素子５１，５２の構成比は、２種類の発光素子５１、５２に流れる電流が変動したとき、色度図での座標位置の変位量が小さい発光素子ほど構成比が大きくなるように、設定されてもよい。
【００４３】
また、図２Ｃに示す電流−色度特性Ｓ１，Ｓ２のように、電流値Ｉ０が第１電流値Ｉ１から第２電流値Ｉ２まで変動したとき、第１座標位置Ａ（Ｉ０）の第１変位量と、第２座標位置Ｂ（Ｉ０）の第２変位量とは、同じであってもよい。この場合は、２種類の発光素子５１，５２の構成比を１対１に設定してもよい。
【００４４】
他方、図３に示す電流−色度特性Ｓ１，Ｓ２のように、電流値Ｉ０が第１電流量Ｉ１から第２電流量Ｉ２まで変動したとき、第１座標位置Ａ（Ｉ０）の第１変位量と、第２座標位置Ｂ（Ｉ０）の第２変位量とに、大差（例えば２倍以上又は３倍以上）があってもよい。この場合は、第１変位量及び第２変位量のうち、大きい方の発光素子（例えば第１種類の発光素子５１）と、小さい方の発光素子（例えば第２種類の発光素子５２）との構成比を１対２としてもよい。
【００４５】
また、第１座標位置Ａ（Ｉ０）の第１変位量と、第２座標位置Ｂ（Ｉ０）の第２変位量との比率に反比例するように、２種類の発光素子５１，５２の構成比を設定してもよい。例えば、第１変位量と第２変位量との比率が２対１の場合は、２種類の発光素子５１，５２の構成比は１対２となる。
【００４６】
（変形例２）
実施形態１では、図２Ｃに示すように、電流−色度特性Ｓ１は、右斜め上方向に傾斜した線分であり、電流−色度特性Ｓ２は、左斜め下方向に傾斜した線分であった。ただし、電流−色度特性Ｓ１，Ｓ２の形状は、そのように限定されない。例えば、電流−色度特性Ｓ１，Ｓ２はそれぞれ、図４Ａ〜図４Ｄの４つのタイプＡ〜Ｄの何れか１つのタイプであってもよい。図４ＡのタイプＡの電流−色度特性は、発光素子５に流れる電流の電流値Ｉ０の上昇に伴って、右斜め上方に変化する。図４ＢのタイプＢに示す電流−色度特性は、発光素子５に流れる電流の電流値Ｉ０の上昇に伴って、左斜め下方に変化する。図４ＣのタイプＣの電流−色度特性は、発光素子５に流れる電流の電流値Ｉ０の上昇に伴って、右斜め下方に変化する。図４ＤのタイプＤの電流−色度特性は、発光素子５に流れる電流の電流値Ｉ０の上昇に伴って、左斜め上方に変化する。なお、一例として、３つのタイプＡ〜Ｄの電流−色度特性は、互いに同じ長さであるが、タイプＤの電流−色度特性の長さは、３つのタイプＡ〜Ｃの電流−色度特性の長さよりも短い。例えば、タイプＤの電流−色度特性の長さは、３つのタイプＡ〜Ｃの電流−色度特性の長さの１／３倍の長さである。
【００４７】
（変形例３）
実施形態１では、２種類の発光素子５１，５２は、互いに異なる色温度で、かつ互いに異なる電流−色度特性を有したが、２種類の発光素子５１，５２の組み合わせは、このように限定されない。例えば、２種類の発光素子５１，５２は、互いに同じ色温度で、かつ互いに異なる電流−色度特性を有してもよい。具体的には、２種類の発光素子５１，５２は、色温度が共に６５００Ｋで、かつ電流−色度特性Ｓ１，Ｓ２の組み合わせが図４ＡのタイプＡ及び図４ＢのタイプＢであってもよい。また、２種類の発光素子５１，５２は、色温度が共に２７００Ｋで、かつ電流−色度特性Ｓ１，Ｓ２の組み合わせが図４Ｃのタイプ及び図４ＤのタイプＤであってもよい。
【００４８】
また、互いに異なる色温度で、かつ互いに異なる電流−色度特性を有する２種類以上の発光素子と、互いに同じ色温度で、かつ互いに異なる電流−色度特性を有する２種類以上の発光素子とを組み合わせて、回路基板３に設けてもよい。
【００４９】
（変形例４）
実施形態１において、図５に示すように、さらに、発光モジュール１が発する光の色度変位中心Ｐ１が色度図での所望の座標位置となるように、２種類の発光素子５１，５２の電流−色度特性Ｓ１，Ｓ２を設定してもよい。色度変位中心Ｐ１とは、例えば、２種類の発光素子５１，５２に流れる電流の電流値Ｉ０が所望の電流値に制御されたときに、第３座標位置Ｃ（Ｉ０）が位置すべき座標位置である。第３座標位置Ｃ（Ｉ０）は、２種類の発光素子５１，５２に流れる電流の電流値Ｉ０が任意の値のときの、発光モジュール１が発する光の色度図での座標位置である。これにより、例えば発光モジュール１に流れる電流の電流値Ｉ０が所望の電流値に制御されたときに、発光モジュール１が発する光の光色を所望の光色に設定可能である。
【００５０】
（変形例５）
実施形態１の変形例において、図６に示すように、さらに、電流値Ｉ０が第１電流値Ｉ１から第２電流値Ｉ２に変動したとき、第３座標位置Ｃ（Ｉ０）が色度図での所望の制限範囲Ｈ１内で変化するように、電流−色度特性Ｓ１，Ｓ２を設定してもよい。なお、第３座標位置Ｃ（Ｉ０）は、２種類の発光素子５１，５２に流れる電流の電流値Ｉ０が任意の値のときの、発光モジュール１が発する光の色度図での座標位置である。所望の制限範囲Ｈ１は、色度図において、ｘ軸の第１所望範囲ｈ１内でかつｙ軸の第２所望範囲ｈ２内の範囲である。第１所望範囲ｈ１及び第２所望範囲ｈ２は、任意に設定可能である。本実施形態では、所望の制限範囲Ｈ１は、例えばｘ軸方向の幅が最大幅である。
【００５１】
所望の制限範囲Ｈ１は、電流値Ｉ０が第１電流値Ｉ１から第２電流値Ｉ２に変動したとき、第１座標位置Ａ（Ｉ０）が変位する第１変位量、及び第２座標位置Ｂ（Ｉ０）が変位する第２変位量よりも小さくなるように設定されている。すなわち、所望の制限範囲Ｈ１の最大幅（例えばｘ軸方向の幅）は、第１座標位置Ａ（Ｉ０）が変位する第１変位量、及び第２座標位置Ｂ（Ｉ０）が変位する第２変位量よりも小さい。これにより、発光素子５１，５２の電流変動に伴って発光モジュール１が発する光の光色が変化するとき、その光色の変化を色度図での所望の制限範囲Ｈ１内に制限できる。
【００５２】
（変形例６）
実施形態１では、２種類の発光素子５１，５２は、図１Ａに示すように、一列に配置され、かつ互いに交互に配置されたが、２種類の発光素子５１，５２の配列は、上記のように限定されない。例えば図７に示すように、２種類の発光素子５１，５２は、２列に配置され、市松模様状（チェック柄状）に配置されてもよい。すなわち、２種類の発光素子５１，５２は、各列で、互いに交互に一列に配置されている。その際、１列目（図７の上側の列）では、第１種類の発光素子５１が先頭（例えば１列目の一番左端の発光素子）となり、２列目（図７の下側の列）では、第２種類の発光素子５２が先頭（例えば２列目の一番左端の発光素子）となる。２つの列の間では、異なる種類の発光素子５１，５２が隣合うように配置されている。なお、２種類の発光素子５１，５２は、３列以上に配置され、市松模様状に配置されてもよい。なお、本変形例では、２種類の発光素子５１，５２は、市松模様状に配置されたが、２種類の発光素子５１，５２の配列は、市松模様状に限定されず、不規則に配置されてもよい。
【００５３】
（変形例７）
実施形態１では、複数種類の発光素子５１，５２には、互いに同じ電流値の電流が流れ、かつ、複数種類の発光素子５１，５２に流れる電流は、第１電流値Ｉ１から第２電流値Ｉ２まで、互いに同じように変動した。ただし、複数種類の発光素子５１，５２には、互いに異なる電流値の電流が流れてもよいし、複数種類の発光素子５１，５２に流れる電流は、互いに異なるように変動してもよい。
【００５４】
例えば、図８に示すように、第１種類の発光素子５１に流れる電流が第１電流値Ｉ１から第２電流値Ｉ２まで変動したとき、第２種類の発光素子５２に流れる電流は、第３電流値Ｉ３から第４電流値Ｉ４まで変動してもよい。
【００５５】
図８において、第１座標位置Ａ（Ｉ１）は、第１種類の発光素子５１に流れる電流の電流値が第１電流値Ｉ１のときの第１座標位置である。第１座標位置Ａ（Ｉ２）は、第１種類の発光素子５１に流れる電流の電流値が第２電流値Ｉ２のときの第１座標位置である。第２座標位置Ｂ（Ｉ３）は、第２種類の発光素子５２に流れる電流の電流値が第３電流値Ｉ３のときの第１座標位置である。第２座標位置Ｂ（Ｉ４）は、第２種類の発光素子５２に流れる電流の電流値が第４電流値Ｉ４のときの第２座標位置である。第３座標位置Ｃ１は、２種類の発光素子５１，５２にそれぞれ電流値Ｉ１，Ｉ３の電流が流れたときの、発光モジュール１が発する光の色度図での座標位置である。第３座標位置Ｃ２は、２種類の発光素子５１，５２にそれぞれ電流値Ｉ２，Ｉ４の電流が流れたときの、発光モジュール１が発する光の色度図での座標位置である。
【００５６】
この場合、第３座標位置Ｃ１は、第１座標位置Ａ（Ｉ１）と第２座標位置Ｂ（Ｉ３）との中間位置で与えられる。また、第３座標位置Ｃ２は、第１座標位置Ａ（Ｉ２）と第２座標位置Ｂ（Ｉ４）との中間位置で与えられる。発光モジュール１が発する光の電流−色度特性Ｓ３は、概略的には、２つの第３座標位置Ｃ１，Ｃ２とを結ぶ線分で与えられる。
【００５７】
（実施形態１の効果）
以上説明したように、実施形態１に係る発光モジュール１は、複数種類の発光素子５と、基板３と、を備えている。複数種類の発光素子５は、第１種類の発光素子５１及び第２種類の発光素子５２を含む。基板３は、複数種類の発光素子５が設けられている。第１座標位置Ａ（Ｉ０）は、複数種類の発光素子５に生じる電気的変動に伴って変位する。第１座標位置Ａ（Ｉ０）は、第１種類の発光素子５１が発する光の色度図での座標位置である。第２座標位置Ｂ（Ｉ０）は、電気的変動に伴って、第１座標位置Ａ（Ｉ０）とは異なるように変位する。第２座標位置Ｂ（Ｉ０）は、第２種類の発光素子５２が発する光の色度図での座標位置である。複数種類の発光素子５に電気的変動が生じたとき、第３座標位置Ｃ（Ｉ０）が変位する第３変位量は、第１座標位置Ａ（Ｉ０）が変位する第１変位量及び第２座標位置Ｂ（Ｉ０）が変位する第２変位量よりも小さい。第３座標位置Ｃ（Ｉ０）は、複数種類の発光素子５が発する光の合成光の色度図での座標位置である。
【００５８】
この構成によれば、複数種類の発光素子５に電気的変動が生じたとき、第３座標位置Ｃ（Ｉ０）の第３変位量は、第１座標位置Ａ（Ｉ０）の第１変位量及び第２座標位置Ｂ（Ｉ０）の第２変位量よりも小さい。このため、複数種類の発光素子５が発する光の合成光において、複数種類の発光素子５に生じる電気的変動に伴う光色の変化を低減できる。
【００５９】
また、実施形態１に係る発光モジュール１では、複数種類の発光素子５は、例えば２種類の発光素子５１，５２である。
【００６０】
この構成によれば、２種類の発光素子５１，５２が発する光の合成光において、それら２種類の発光素子５１，５２に生じる電気的変動に伴う光色の変化を低減できる。
【００６１】
また、実施形態１に係る発光モジュール１では、複数種類の発光素子５に電気的変動が生じたとき、第１座標位置Ａ（Ｉ０）と第２座標位置Ｂ（Ｉ０）とは、互いに逆方向に変位する。
【００６２】
この構成によれば、複数種類の発光素子５に電気的変動が生じたとき、第１座標位置Ａ（Ｉ０）と第２座標位置Ｂ（Ｉ０）とは互いに逆方向に変位する。このため、複数種類の発光素子５が発する光の合成光において、それら複数種類の発光素子５に生じる電気的変動に伴う光色の変化を容易に低減できる。例えば複数種類の発光素子５が２種類の発光素子５１，５２である場合は、それら２種類の発光素子５１，５２の各々の色度図での座標位置の変位量を調整するだけで、上記の合成光の光色の変化を容易に低減できる。
【００６３】
また、実施形態１に係る発光モジュール１では、複数種類の発光素子５に生じる電気的変動は、複数種類の発光素子５に流れる電流の変動である。
【００６４】
この構成によれば、発光モジュール１が発する光合成光において、複数種類の発光素子５の電流変動に伴う光色の変化を低減できる。
【００６５】
また、実施形態１に係る発光モジュール１では、複数種類の発光素子５に生じる電気的変動は、複数種類の発光素子５に供給される電力が制御されることで、制御可能である。
【００６６】
この構成によれば、複数種類の発光素子５に供給される電力を制御することで、電気的変動を制御できる。これにより、発光モジュール１が発する光合成光において、複数種類の発光素子５に供給される電力の制御に伴う光色の変化を低減できる。
【００６７】
（他の実施形態）
以下、他の実施形態を列挙する。以下に説明する他の実施形態は、適宜組み合わせて適用可能である。以下に説明する他の実施形態では、上記の実施形態と異なる点を中心に説明する。以下の他の実施形態では、上記の実施形態と同じ部分については、同じ符号を付して説明を省略する場合がある。
【００６８】
（実施形態２）
実施形態１では、２種類の発光素子５１，５２が回路基板３に設けられたが、本実施形態では、図９に示すように、３種類の発光素子５１，５２，５４が回路基板３に設けられている。すなわち、本実施形態の発光モジュール１は、実施形態１の２種類の発光素子５１，５２に加えて、第３種類の発光素子５４を備えている。本実施形態では、発光モジュール１が発する光は、３種類の発光素子５１，５２，５４が発する光の合成光で構成されている。３種類の発光素子５１，５２，５４は、例えば、同じ電流値の電流が供給されて発する。
【００６９】
第１種類の発光素子５１、第２種類の発光素子５２、及び第３種類の発光素子５４の各々の個数は、互いに同じ個数である。３種類の発光素子５１，５２，５４は、図９に示すように、互いに混在した状態で、回路基板３の長手方向に一列に並んで配置されている。より詳細には、発光素子５１、発光素子５２及び発光素子５４は、この順番を周期的に繰り返すようにして、回路基板３の長手方向に沿って並んで配置されている。
【００７０】
第３種類の発光素子５４は、例えば、色温度が２７００Ｋ［ケルビン］である白色光を発する白色発光ダイオードである。第３種類の発光素子５４は、図１０Ａに示す電流−色度特性Ｓ４を有する。図１０Ａに示す電流−色度特性Ｓ４は、第３種類の発光素子５４に流れる電流の電流値Ｉ０が第１電流値Ｉ１（例えば１０ｍＡ）から第２電流値（例えば１５０ｍＡ）まで変動したときの第４座標位置Ｄ（Ｉ０）の変化を示している。第４座標位置Ｄ（Ｉ０）は、色度図において、第３種類の発光素子５４に流れる電流の電流値Ｉ０が任意の値のときの、第３種類の発光素子５４が発する光の座標位置である。なお、図１０Ａ等では、第４座標位置Ｄ（Ｉ０）は、作図の都合上、或る座標位置に図示されているが、実際は、電流値Ｉ０の変動に伴って変位する座標位置である。図１０Ａの第４座標位置Ｄ（Ｉ１），Ｄ（Ｉ２）はそれぞれ、電流値Ｉ０が第１電流値Ｉ１及び第２電流値Ｉ２のときの第４座標位置Ｄ（Ｉ０）である。
【００７１】
このように、図１０Ａに示す電流−色度特性Ｓ４では、第３種類の発光素子５４に流れる電流の変動（例えば上昇）に伴って、第４座標位置Ｄ（Ｉ０）は、第１座標位置Ａ（Ｉ０）及び第２座標位置Ｂ（Ｉ０）とは異なるように、例えば上方向に変位する。このような第３種類の発光素子５４として、例えば、日亜化学工業株式会社製のＮＦＳＷ７５７ＧＴ−Ｐ５がある。
【００７２】
本実施形態では、図１０Ｂに示すように、実施形態１と同様に、第１種類の発光素子５１の電流−色度特性Ｓ１は、図２Ａで示された電流−色度特性であり、第２種類の発光素子５２の電流−色度特性Ｓ２は、図２Ｂで示された電流−色度特性である。また、本実施形態では、図１０Ｂに示すように、実施形態１と同様に、色度図において、第１種類の発光素子５１に流れる電流の電流値Ｉ０が任意の値のときの、第１種類の発光素子５１が発する光の座標位置を、第１座標位置Ａ（Ｉ０）と記載する。同様に、第２種類の発光素子５２が発する光の座標位置を第２座標位置Ｂ（Ｉ０）と記載する。また、３種類の発光素子５１，５２，５４に流れる電流の電流値Ｉ０が任意の値のときの、発光モジュール１が発する光（合成光）の座標位置を、第３座標位置Ｃ（Ｉ０）と記載する。本実施形態では、第３座標位置Ｃ（Ｉ０）は、３種類の発光素子５１，５２，５４が発する光の各々の座標位置（すなわち第１座標位置Ａ（Ｉ０）、第２座標位置Ｂ（Ｉ０）及び第４座標位置Ｄ（Ｉ０））の中間位置である。
【００７３】
３種類の発光素子５１，５２，５４は、互いに異なる電流−色度特性Ｓ１，Ｓ２，Ｓ４を有する。したがって、３種類の発光素子５１，５２，５４に流れる電流の電流値Ｉ０が第１電流値Ｉ１から第２電流値Ｉ２まで変動したとき、第１座標位置Ａ（Ｉ０）、第２座標位置Ｂ（Ｉ０）及び第４座標位置Ｄ（Ｉ０）は、互いに異なるように変位する。
【００７４】
本実施形態の発光モジュール１が発する光（合成光）の電流−色度特性Ｓ３は、図１０Ｂに示すように、３種類の発光素子５１，５２，５４の電流−色度特性Ｓ１，Ｓ２，Ｓ４に基づいて与えられる。より詳細には、３種類の発光素子５１，５２，５４に流れる電流の電流値Ｉ０が任意の値のときの第３座標位置Ｃ（Ｉ０）は、第１座標位置Ａ（Ｉ０）、第２座標位置Ｂ（Ｉ０）及び第４座標位置Ｄ（Ｉ０）の３つの座標位置の中間位置で与えられる。したがって、電流値Ｉ０が第１電流値Ｉ１のときの第３座標位置Ｃ（Ｉ１）は、電流値Ｉ０が第１電流値Ｉ１のときの３つの座標位置（第１座標位置Ａ（Ｉ１）、第２座標位置Ｂ（Ｉ１）及び第４座標位置Ｄ（Ｉ１））の中間位置で与えられる。また、電流値Ｉ０が第２電流値Ｉ２のときの第３座標位置Ｃ（Ｉ２）は、電流値Ｉ０が第２電流値Ｉ２のときの３つの座標位置（第１座標位置Ａ（Ｉ２）、第２座標位置Ｂ（Ｉ２）及び第４座標位置Ｄ（Ｉ２））の中間位置で与えられる。電流−色度特性Ｓ３は、概略的には、２つの座標位置（第４座標位置Ｄ（Ｉ１），Ｄ（Ｉ２））を結ぶ線分で与えられる。
【００７５】
本実施形態では、電流値Ｉ０が変動したとき、第３座標位置Ｃ（Ｉ０）が変位する第３変位量は、第１座標位置Ａ（Ｉ０）が変位する第１変位量、第２座標位置Ｂ（Ｉ０）が変位する第２変位量、及び第４座標位置Ｄ（Ｉ０）が変位する第４変位量よりも小さい。すなわち、上記の第１変位量、第２変位量及び第４変位量が上記の関係を満たすように、電流−色度特性Ｓ１，Ｓ２，Ｓ４は、設定されている。
【００７６】
より詳細には、まず、３つの電流−色度特性Ｓ１，Ｓ２，Ｓ４のうちの２つの電流−色度特性Ｓ１，Ｓ２が設定される。これにより、発光モジュール１が発する光（３種類の発光素子５１，５２，５４の合成光）の電流−色度特性Ｓ３の形が概略的に定められる。例えば、３種類の発光素子５１，５２，５４に流れる電流の電流値Ｉ０が第１電流値Ｉ１から第２電流値Ｉ２に変動したとき、第１座標位置Ａ（Ｉ０）及び第２座標位置Ｂ（Ｉ０）が互いに逆方方向に変位するように、電流−色度特性Ｓ１，Ｓ２が設定される。そして、適宜形の電流−色度特性Ｓ４が設定される。これにより、電流−色度特性Ｓ３の形状が微調整される。この結果、上述のように、第３座標位置Ｃ（Ｉ０）の第３変位量が、第１座標位置Ａ（Ｉ０）の第１変位量、第２座標位置Ｂ（Ｉ０）の第２変位量、及び第４座標位置Ｄ（Ｉ０）の第４変位量よりも小さくなるように、電流−色度特性Ｓ３の形が最終的に定められる。
【００７７】
以上、この実施形態によれば、３種類の発光素子５１，５２，５４が発する光の合成光において、それら３種類の発光素子５１，５２，５４の電流変動に伴う光色の変化を低減できる。
【００７８】
（実施形態２の変形例）
以下、実施形態２の変形例を列挙する。以下に説明する変形例は、適宜組み合わせて適用可能である。以下に説明する変形例では、実施形態２と異なる点を中心に説明する。以下の変形例では、実施形態２と同じ部分については、同じ符号を付して説明を省略する場合がある。
【００７９】
（変形例１）
実施形態２では、図１０に示すように、電流−色度特性Ｓ１は、右斜め上方向に傾斜した線分であり、電流−色度特性Ｓ２は、左斜め下方向に傾斜した線分であり、電流−色度特性Ｓ４は、上方に延びた線分であった。ただし、電流−色度特性Ｓ１，Ｓ２，Ｓ４の形状は、上述のように限定されない。例えば図１１Ａに示すように、電流−色度特性Ｓ１は、右斜め上方向に緩やかに傾斜した線分であり、電流−色度特性Ｓ２は、左斜め上方向に傾斜した線分であり、電流−色度特性Ｓ４は、左斜め下方向に傾斜した線分であってもよい。この場合、電流−色度特性Ｓ３は、左方向に延びた短い線分となる。また、図１１Ｂに示すように、電流−色度特性Ｓ１は、右斜め下方向に傾斜した線分であり、電流−色度特性Ｓ２は、上方向に延びた線分であり、電流−色度特性Ｓ４は、左斜め下方向に傾斜した線分であってもよい。この場合、電流−色度特性Ｓ３は、右斜め下方向に急勾配で傾斜した短い線分となる。
【００８０】
（変形例２）
実施形態２では、電流−色度特性が異なる３種類の発光素子５１，５２，５４が設けられたが、電流−色度特性が異なる４種類以上の発光素子が設けられてもよい。図１２は、電流−色度特性が異なる４種類の発光素子を備えた場合の、それら４種類の発光素子の電流−色度特性Ｓ１０，Ｓ１１，Ｓ１２，Ｓ１３と、発光モジュール１の合成光の電流−色度特性Ｓ１４とを示している。発光モジュール１の合成光は、上記の４種類の発光素子が発する光の合成光である。電流−色度特性Ｓ１０は、下方向に延びた線分であり、電流−色度特性Ｓ１１は、右上方向に傾斜した線分であり、電流−色度特性Ｓ１２は、右斜め上方向に傾斜した線分であり、電流−色度特性Ｓ１３は、左斜め下方向に傾斜した線分である。この場合、発光モジュール１が発する光の電流−色度特性Ｓ１４は、右斜め上方向に傾斜した短い線分である。
【００８１】
（実施形態２の効果）
以上説明したように、実施形態２に係る発光モジュール１では、複数種類の発光素子５は、第３種類の発光素子５４を更に含む。第４座標位置Ｄ（Ｉ０）は、複数種類の発光素子５の電気的変動に伴って、第１座標位置Ａ（Ｉ０）及び第２座標位置Ｂ（Ｉ０）とは異なるように変位する。第４座標位置Ｄ（Ｉ０）は、第３種類の発光素子５４が発する光の色度図での座標位置である。電気的変動が生じたとき、第３座標位置Ｃ（Ｉ０）が変位する第３変位量は、第１座標位置Ａ（Ｉ０）が変位する第１変位量、第２座標位置Ｂ（Ｉ０）が変位する第２変位量、及び第４座標位置Ｄ（Ｉ０）が変位する第４変位量よりも小さい。
【００８２】
この構成によれば、３種類以上の発光素子５が発する光の合成光において、それら３種類以上の発光素子５に生じる電気的変動に伴う光色の変化を低減できる。
【００８３】
また、実施形態２に係る発光モジュール１では、複数種類の発光素子５に電気的変動が生じたとき、第１座標位置Ａ（Ｉ０）と第２座標位置Ｂ（Ｉ０）とは、互いに逆方向に変位する。
【００８４】
この構成によれば、複数種類の発光素子５に電気的変動が生じたとき、第１座標位置Ａ（Ｉ０）と第２座標位置Ｂ（Ｉ０）とは互いに逆方向に変位する。このため、複数種類の発光素子５が発する光の合成光において、それら複数種類の発光素子５に生じる電気的変動に伴う光色の変化を容易に低減できる。例えば複数種類の発光素子５が３種類以上の発光素子５である場合は、まず、上記の２種類の発光素子５１，５２の各々の色度図での座標位置の変位を利用して、上記の合成光の光色の変化を概略的に調整する。そして、上記の複数種類の発光素子５のうちの他の種類の発光素子５の色度図での座標位置の変位を利用して、上記の合成光の光色の変位量を精密に調整する。これにより、複数種類の発光素子５が３種類以上の発光素子５である場合も、上記の合成光の光色の変化量を容易に低減できる。
【００８５】
（実施形態３）
実施形態１では、複数種類（例えば２種類）の発光素子５１，５２の電気的変動は、複数種類の発光素子５１，５２に流れる電流の変動（電流変動）であったが、上記の電気的変動は、電流変動に限定されない。例えば、上記の電気的変動は、複数種類の発光素子５１，５２に印加される電圧の変動（電圧変動）であってもよい。
【００８６】
以下、上記の電気的変動が電圧変動である場合について、図１３を参照して詳しく説明する。以下の説明では、複数種類（例えば２種類）の発光素子５１，５２には、同じ電圧値の電圧（順方向電圧）が印加され、印加された電圧の電圧値Ｖ０が、第１電圧値Ｖ１から第２電圧値Ｖ２まで、同じように変動する場合で説明する。
【００８７】
この場合は、本実施形態では、図１３に示すように、電圧値Ｖ０が第１電圧値Ｖ１から第２電圧値Ｖ２まで変動したとき、第３座標位置Ｃ（Ｖ０）の第３変位量は、第１座標位置Ａ（Ｖ０）の第１変位量及び第２座標位置Ｂ（Ｖ０）の第２変位量よりも小さくなる。電圧値Ｖ０は、２種類の発光素子５１，５２に印加される電圧の電圧値である。上記の第１変位量、第２変位量及び第３変位量が上記の関係を満たすように、２種類の発光素子５１，５２の電圧−色度特性が設定されている。
【００８８】
なお、図１３に示すように、第１座標位置Ａ（Ｖ０）は、第１種類の発光素子５１に印加される電圧の電圧値Ｖ０が任意の値ときの、第１種類の発光素子５１が発する光の色度図での座標位置である。第２座標位置Ｂ（Ｖ０）は、第２種類の発光素子５２に印加される電圧の電圧値Ｖ０が任意の値のときの、第２種類の発光素子５２が発する光の色度図での座標位置である。第３座標位置Ｃ（Ｖ０）は、２種類の発光素子５１，５２に印加される電圧の電圧値Ｖ０が任意の値ときの、発光モジュール１が発する光（すなわち２種類の発光素子５１，５２が発する光の合成光）の色度図での座標位置である。なお、図１３では、第１座標位置Ａ（Ｖ０）は、作図の都合上、或る座標位置に図示されているが、実際は、電圧値Ｖ０の変動に伴って変位する座標位置である。同様に、第２座標位置Ｂ（Ｖ０）及び第３座標位置Ｃ（Ｖ０）も、電圧値Ｖ０の変動伴って変位する座標位置である。
【００８９】
図１３に示すように、第１種類の発光素子５１は、電圧−色度特性Ｓ２１を有し、第２種類の発光素子５２は、電圧−色度特性Ｓ２２を有する。電圧−色度特性Ｓ２１，Ｓ２２は、互いに異なっている。電圧−色度特性Ｓ２１，Ｓ２２は、色度図において、発光素子５１，５２に印加される電圧（順方向電圧）の変動が生じたときの、発光素子５１，５２が発する光の色度図での座標位置の変化（すなわち軌跡）を示した図である。
【００９０】
複数種類の発光素子５１，５２に印加される電圧の電圧値Ｖ０が第１電圧Ｖ１から第２電圧Ｖ２まで変動したとき、第１座標位置Ａ（Ｖ０）は、電圧−色度特性Ｓ２１に沿って第１座標位置Ａ（Ｖ１）から第１座標位置Ａ（Ｖ２）まで変位する。同様に、第２座標位置Ｂ（Ｖ０）は、電圧−色度特性Ｓ２２に沿って、第２座標位置Ｂ（Ｖ１）から第２座標位置Ｂ（Ｖ２）まで変位する。
【００９１】
この場合、第３座標位置Ｃ（Ｖ０）は、第１座標位置Ａ（Ｖ０）と第２座標位置Ｂ（Ｖ０）との中間位置で与えられる。したがって、電圧値Ｖ０が第１電圧値Ｖ１から第２電圧値Ｖ２まで変動するとき、電圧−色度特性Ｓ２３の始点である第３座標位置Ｃ（Ｖ１）は、第１座標位置Ａ（Ｖ１）と第２座標位置Ｂ（Ｖ１）との中間位置で与えられる。同様に、電圧−色度特性Ｓ２３の終点である第３座標位置Ｃ（Ｖ２）は、第１座標位置Ａ（Ｖ２）と第２座標位置Ｂ（Ｖ２）との中間位置で与えられる。電圧−色度特性Ｓ２３は、概略的には、第３座標位置Ｃ（Ｖ１）と第３座標位置Ｃ（Ｖ２）とを結ぶ線分で与えられる。
【００９２】
この場合、電圧値Ｖ０が第１電圧Ｖ１から第２電圧Ｖ２まで変動したとき、第３座標位置Ｃ（Ｖ０）が変位する第３変位量は、第１座標位置Ａ（Ｖ０）が変位する第１変位量及び第２座標位置Ｂ（Ｖ０）が変位する第２変位量よりも小さい。すなわち、上記の第１変位量、第２変位量及び第３変位量が上記の関係を満たすように、２種類の発光素子５１，５２の電圧−色度特性Ｓ２１，２２が設定されている。
【００９３】
以上、この実施形態の発光モジュール１によれば、２種類の発光素子５１，５２に印加される電圧の電圧値Ｖ０が変動したときの第３座標位置Ｃ（Ｖ０）の第３変位量は、第１座標位置Ａ（Ｖ０）の第１変位量及び第２座標位置Ｂ（Ｖ０）の第２変位量よりも小さい。このため、２種類の発光素子５１，５２が発する光の合成光において、２種類の発光素子５１，５２に印加される電圧に変動が生じたとき（例えば調光されたとき）の光色の変化を低減できる。
【００９４】
（実施形態３の変形例）
以下、実施形態３の変形例を列挙する。以下に説明する変形例は、適宜組み合わせて適用可能である。以下に説明する変形例では、実施形態３と異なる点を中心に説明する。以下の変形例では、実施形態３と同じ部分については、同じ符号を付して説明を省略する場合がある。
【００９５】
（変形例１）
本変形例の発光モジュール１は、図９に示すように、３種類の発光素子（第１種類の発光素子５１、第２種類の発光素子５２及び第３種類の発光素子５４）を備えている。本変形例の発光モジュール１が発する光は、３種類の発光素子５１，５２，５４が発する光の合成光で構成されている。
【００９６】
以下の説明では、３種類の発光素子５１，５２，５４には、同じ電圧値の電圧が印加される場合で説明する。
【００９７】
第１種類の発光素子５１及び第２種類の発光素子５２は、実施形態５の第１種類の発光素子５１及び２種類）の発光素子５１，５２と同じである。
【００９８】
第３種類の発光素子５４は、例えば白色光を発する白色発光ダイオードである。第３種類の発光素子５４は、図１４Ａに示す電圧−色度特性Ｓ２４を有する。図１４Ａに示す電圧−色度特性Ｓ２４では、第３種類の発光素子５４に印加される電圧の電圧値Ｖ０が第１電圧値Ｖ１から第２電圧値Ｖ２まで変動したときの第４座標位置Ｄ（Ｖ０）の変化が示されている。第４座標位置Ｄ（Ｖ０）は、色度図において、第３種類の発光素子５４に印加される電圧の電圧値Ｖ０が任意の値のときの、第３種類の発光素子５４が発する光の座標位置である。なお、図１４Ａ等では、第４座標位置Ｄ（Ｖ０）は、作図の都合上、或る座標位置に図示されているが、実際は、電圧値Ｖ０の変動に伴って変位する座標位置である。図１４Ａの第４座標位置Ｄ（Ｖ１），Ｄ（Ｖ２）はそれぞれ、電圧値Ｖ０がＶ１、Ｖ２のときの第４座標位置Ｄ（Ｖ０）である。
【００９９】
図１４Ｂに示すように、実施形態５と同様に、色度図において、第１種類の発光素子５１に印加される電圧の電圧値Ｖ０が任意の値のときの、第１種類の発光素子５１が発する光の座標位置を、第１座標位置Ａ（Ｖ０）と記載する。同様に、第２種類の発光素子５２が発する光の座標位置を第２座標位置Ｂ（Ｖ０）と記載する。また、３種類の発光素子５１，５２，５４に印加される電圧の電圧値Ｖ０が任意の値のときの、発光モジュール１が発する光（合成光）の座標位置を、第３座標位置Ｃ（Ｖ０）と記載する。本実施形態では、第３座標位置Ｃ（Ｖ０）は、３種類の発光素子５１，５２，５４が発する光の各々の座標位置（第１座標位置Ａ（Ｖ０）、第２座標位置Ｂ（Ｖ０）及び第４座標位置Ｄ（Ｖ０））の中間位置である。
【０１００】
３種類の発光素子５１，５２，５４は、互いに異なる電圧−色度特性Ｓ２１，Ｓ２２，Ｓ２４を有する。したがって、３種類の発光素子５１，５２，５４に印加される電圧の電圧値Ｖ０が第１電圧値Ｖ１から第２電圧値Ｖ２まで変動したとき、第１座標位置Ａ（Ｖ０）、第２座標位置Ｂ（Ｖ０）及び第４座標位置Ｄ（Ｖ０）は、互いに異なるように変位する。
【０１０１】
本実施形態の発光モジュール１が発する光（合成光）の電圧−色度特性Ｓ２３は、図１４Ｂに示すように、３種類の発光素子５１，５２，５４の電圧−色度特性Ｓ２１，Ｓ２２，Ｓ２４に基づいて与えられる。より詳細には、３種類の発光素子５１，５２，５４に印加される電圧の電圧値Ｖ０が任意の値のとき、第３座標位置Ｃ（Ｖ０）は、第１座標位置Ａ（Ｖ０）、第２座標位置Ｂ（Ｖ０）及び第４座標位置Ｄ（Ｖ０）の３つの座標位置の中間位置で与えられる。したがって、電圧値Ｖ０がＶ１のときの第３座標位置Ｃ（Ｖ１）は、電圧値Ｖ０がＶ１のときの３つの座標位置（第１座標位置Ａ（Ｖ１）、第２座標位置Ｂ（Ｖ１）及び第４座標位置Ｄ（Ｖ１））の中間位置で与えられる。また、電圧値Ｖ０がＶ２のときの第４座標位置Ｄ（Ｖ２）は、電圧値Ｖ０がＶ２のときの３つの座標位置（第１座標位置Ａ（Ｖ２）、第２座標位置Ｂ（Ｖ２）及び第４座標位置Ｄ（Ｖ２））の中間位置で与えられる。電圧−色度特性Ｓ３は、概略的には、第４座標位置Ｄ（Ｖ１）及び第４座標位置Ｄ（Ｖ２）を結ぶ線分で与えられる。
【０１０２】
本実施形態では、電圧値Ｖ０が第１電圧値Ｖ１から第２電圧値Ｖ２に変動したとき、第３座標位置Ｃ（Ｖ０）の第３変位量は、第１座標位置Ａ（Ｖ０）の第１変位量、第２座標位置Ｂ（Ｖ０）の第２変位量、及び第４座標位置Ｄ（Ｖ０）の第４変位量よりも小さい。すなわち、上記の第１変位量、第２変位量及び第４変位量が上記の関係を満たすように、電圧−色度特性Ｓ２１，Ｓ２２，Ｓ２４は、設定されている。
【０１０３】
以上、この実施形態によれば、３種類の発光素子５１，５２，５４が発する光の合成光において、それら３種類の発光素子５１，５２，５４の電圧変動に伴う光色の変化を低減できる。
【０１０４】
（変形例２）
実施形態３では、複数種類の発光素子５１，５２には、互いに同じ電圧値の電圧が印加された。また、複数種類の発光素子５１，５２に印加される電圧は、互いに同じように変動した。ただし、複数種類の発光素子５１，５２には、互いに異なる電圧値の電圧が印加されもよいし、複数種類の発光素子５１，５２に印加される電圧は、互いに異なるように変動してもよい。
【０１０５】
例えば、図１５に示すように、第１種類の発光素子５１に印加される電圧が第１電圧値Ｖ１から第２電圧値Ｖ２まで変動したとき、第２種類の発光素子５２に印加される電圧は、第３電圧値Ｖ３から第４電圧値Ｖ４まで変動してもよい。
【０１０６】
図１５において、第１座標位置Ａ（Ｖ１）は、第１種類の発光素子５１に印加される電圧の電圧値がＶ１のときの第１座標位置である。第１座標位置Ａ（Ｖ２）は、第１種類の発光素子５１に印加される電圧の電圧値がＶ２のときの第１座標位置である。第２座標位置Ｂ（Ｖ３）は、第２種類の発光素子５２に印加される電圧の電圧値がＶ３のときの第１座標位置である。第２座標位置Ｂ（Ｖ４）は、第２種類の発光素子５２に印加される電圧の電圧値がＶ４のときの第２座標位置である。第３座標位置Ｃ１は、色度図において、２種類の発光素子５１，５２にそれぞれ電圧値Ｖ１，Ｖ３の電圧が印加されたときの、発光モジュール１が発する光の色度図での座標位置である。第３座標位置Ｃ２は、２種類の発光素子５１，５２にそれぞれ電圧値Ｖ２，Ｖ４の電圧が印加されたときの、発光モジュール１が発する光の色度図での座標位置である。
【０１０７】
この場合、第３座標位置Ｃ１は、第１座標位置Ａ（Ｖ１）と第２座標位置Ｂ（Ｖ３）との中間位置で与えられる。また、第３座標位置Ｃ２は、第１座標位置Ａ（Ｖ２）と第２座標位置Ｂ（Ｖ４）との中間位置で与えられる。発光モジュール１が発する光の電圧−色度特性Ｓ２３は、概略的には、２つの第３座標位置Ｃ１，Ｃ２を結ぶ線分で与えられる。
【０１０８】
（その他の変形例）
実施形態１の変形例１〜７及び実施形態２の変形例１，２は、電気的変動の一例として電流変動の場合を説明したが、電圧変動の場合でも成立する。
【０１０９】
（実施形態３の効果）
以上説明したように、実施形態３に係る発光モジュール１では、複数種類の発光素子５の電気的変動は、複数種類の発光素子５に印加される電圧の変動である。
【０１１０】
この構成によれば、発光モジュール１が発する光合成光において、複数種類の発光素子５の電圧変動に伴う光色の変化を低減できる。
【０１１１】
（実施形態４）
本実施形態に係る照明装置４０は、図１６Ａ、図１６Ｂ及び図１７に示すように、実施形態１の発光モジュール１を備えた照明装置である。照明装置４０は、建物の天井等に設置され、例えば白色光の照明光で、建物の室内等を照らす照明装置である。以下の説明においては、図１６Ａ及び図１６Ｂにおいて、上下、左右及び前後の各方向を規定する。
【０１１２】
照明装置４０は、図１６Ａ及び図１６Ｂに示すように、発光モジュール１と、筐体７とを備えている。照明装置４０は、カバー１１と、一対のエンドカバー１２とをさらに備えることが好ましい。なお、発光モジュール１については実施形態１と同様であり、ここでは詳細な説明を省略する。
【０１１３】
筐体７は、取付部材９と、一対の放熱部材１０とを備える。
【０１１４】
取付部材９は、底壁部９１と、一対の側壁部９２とを有する。底壁部９１は、例えば板金に曲げ加工することにより前後方向に長い矩形平板状に形成されている。一対の側壁部９２は、底壁部９１の左右方向（幅方向）における両端部からそれぞれ上向きに突出している。発光モジュール１は、底壁部９１の下面（配置面）９１ａに配置されている。
【０１１５】
一対の放熱部材１０の各々は、例えば板金に曲げ加工することにより前後方向に長尺でかつＵ字状に形成され、さらに、左右両端部からそれぞれ外向きに延出するように形成されている。これらの放熱部材１０の下面には白色塗装が施されており、発光モジュール１の発光素子５から発光される光を反射させる反射板としての機能を有する。また、これらの放熱部材１０は、発光素子５で発生した熱を放熱する機能も有する。
【０１１６】
そして、これらの放熱部材１０は、左右方向における一端部（回路基板３に近い側の端部）において、取付部材９の底壁部９１とで回路基板３における左右方向の端部をそれぞれ挟み込むことにより、取付部材９とともに回路基板３を保持する。なお、これらの放熱部材１０は、例えばねじ又は溶接などの適宜な方法により取付部材９に取り付けられる。また、取付部材９と一対の放熱部材１０とが一体に形成されていてもよい。
【０１１７】
カバー１１は、例えばポリカーボネート樹脂などの透光性を有する合成樹脂材料により、上面が開口する長尺の箱形に形成される。カバー１１の下面（出射面）は、幅方向における両端部から中央部に近づくほど下側への突出量が大きくなるような曲面形状となっている。一対のエンドカバー１２の各々は、カバー１１と同じ材料により半円板状に形成される。一対のエンドカバー１２は、カバー１１の前後両端に設けられている。
【０１１８】
また、照明装置４０は、図１７に示すように、電源装置４１と、制御回路４２と、調光操作部４３と、発光モジュール１と、を備えている。
【０１１９】
電源装置４１は、交流電源４４（例えば商用電源）から供給される交流電力を直流電力に変換し、変換した直流電力を発光モジュール１に供給する。これにより、発光モジュール１の複数の発光素子５（すなわち複数種類の発光素子５１，５２）に電流が流れて、複数の発光素子５が発する。これにより、発光モジュール１が発光して、照明装置４０が照明光を発する。
【０１２０】
電源装置４１は、発光モジュール１に供給する電力（電流又は電圧）を制御可能に構成されている。より詳細には、電源装置４１は、整流平滑回路４６と、ＤＣ−ＤＣ変換回路４７と、を備えている。整流平滑回路４６は、交流電源４４から出力される交流電流を整流平滑化して直流電流に変換し、その変換された電流をＤＣ−ＤＣ変換回路４７に出力する。整流平滑回路４６は、例えばダイオード及びコンデンサなどで構成されている。ＤＣ−ＤＣ変換回路４７は、制御回路４２の制御に応じて、整流平滑回路４６の出力電流の電流値を変化させ、その変化させた電流を発光モジュール１に出力する。これにより、発光モジュール１に供給される電力が制御される。この結果、発光モジュール１が発する光（すなわち照明装置４０が発する照明光）の強度が制御される。すなわち、発光モジュール１に供給される電力が制御される。ＤＣ−ＤＣ変換回路４７は、スイッチング素子、コイル、ダイオード及びコンデンサなどで構成されている。
【０１２１】
調光操作部４３は、照明装置４０の照明光の強度を所望の強度に調整するための操作が入力される装置である。調光操作部４３は、例えば建物の壁など、ユーザの手が届く場所に設置されている。調光操作部４３は、例えば、スライド部を有するスライド式の場合は、ユーザがスライド部をスライド操作することで、スライド部のスライド量に応じた強度（所望の強度）が調光操作部４３に入力される。
【０１２２】
制御回路４２は、調光操作部４３に入力された操作に基づいて、ＤＣ−ＤＣ変換回路４７を制御する。これにより、発光モジュール１に供給される電流の電流値が、調光操作部４３に入力された所望の強度に対応する電流値に制御される。制御回路４２は、例えばマイクロコンピュータで構成されている。
【０１２３】
この照明装置４０では、調光操作部４３の操作によって、発光モジュール１に供給される電流（すなわち発光素子５１，５２に流れる電流）が制御されることで、照明装置４０の照明光が調光される。その際の電流制御によって、発光素子５１，５２に流れる電流が変動する。しかし、実施形態１で説明したように、発光素子５１，５２の電流−色度特性Ｓ１，Ｓ２が設定されている。このため、照明装置４０の照明光（すなわち発光素子５１，５２が発する光の合成光）において、発光素子５１，５２に流れる電流の変動に伴う光色の変化が低減されている。
【０１２４】
なお、照明装置４０の照明光の光色を白色以外に変更してもよい。光色が異なる複数の照明装置４０を接近させて配置させた場合、照明装置４０が発する照明光の光色の変化が低減されるため、異なる複数の光色が揃った照明を提供できる。
【０１２５】
なお、整流平滑回路４６及びＤＣ−ＤＣ変換回路４７は、交流電源４４からの交流電流を直流電流に変換して発光モジュール１に供給するための出力系統Ｍ１を構成している。すなわち、本実施形態の電源装置４１は、１つの出力系統Ｍ１を有する電源装置である。
【０１２６】
なお、本実施形態では、制御回路４２は、ＤＣ−ＤＣ変換回路４７を制御することで、発光モジュール１に供給される電流の電流値を制御するが、電流値を制御する代わりに、発光モジュール１に供給される電圧の電圧値を制御してもよい。この場合は、制御回路４２は、ＤＣ−ＤＣ変換回路４７を制御することで、発光モジュール１に供給される電圧の電圧値を、調光操作部４３に入力された所望の強度に対応する電圧値に制御する。このように電圧値を制御する場合は、発光モジュール１として実施形態３の発光モジュール１を用いることが望ましい。
【０１２７】
（実施形態４の変形例）
以下、実施形態４の変形例を列挙する。以下に説明する変形例は、適宜組み合わせて適用可能である。以下に説明する変形例では、実施形態４と異なる点を中心に説明する。以下の変形例では、実施形態４と同じ部分については、同じ符号を付して説明を省略する場合がある。
【０１２８】
（変形例１）
実施形態４の電源装置４１は、１つの出力系統Ｍ１を有し、その出力系統Ｍ１によって、発光モジュール１の複数種類（例えば２種類）の発光素子５１，５２に電力を供給した。これに対し、本変形例の電源装置４１は、図１８に示すように、複数（例えば２つ）の出力系統Ｎ１，Ｎ２を有し、それら複数の出力系統Ｎ１，Ｎ２によって、発光モジュール１の複数種類（例えば２種類）の発光素子５１，５２に別々に電力を供給する。
【０１２９】
本変形例の照明装置４０は、図１８に示すように、実施形態４の照明装置４０と同様に、電源装置４１と、制御回路４２と、調光操作部４３と、発光モジュール１とを備えている。本変形例の調光操作部４３は、実施形態４の調光操作部４３と同様に構成されている。本変形例の発光モジュール１は、実施形態４の発光モジュール１と比べて、第１種類の発光素子５１及び第２種類の発光素子５２に別々に電力を供給可能である点が異なる以外は、同様に構成されている。
【０１３０】
本変形例の電源装置４１は、上述の通り、例えば２つの出力系統（第１出力系統Ｎ１及び第２出力系統Ｎ２）を有する。すなわち、電源装置４１は、発光モジュール１が備える複数種類（例えば２つ）の発光素子５１，５２の種類と同数（例えば２つ）の出力系統Ｎ１，Ｎ２を有する。
【０１３１】
第１出力系統Ｎ１は、整流平滑回路４６Ａと、ＤＣ−ＤＣ変換回路４７Ａとを備えている。整流平滑回路４６Ａ及びＤＣ−ＤＣ変換回路４７Ａは、実施形態４の整流平滑回路４６及びＤＣ−ＤＣ変換回路４７と同様に構成されている。本変形例のＤＣ−ＤＣ変換回路４７Ａは、制御回路４２の制御に応じて、整流平滑回路４６Ａの出力電流の電流値の大きさを変化させ、その変化させた電流を発光モジュール１の第１種類の発光素子５１に出力する。
【０１３２】
第２出力系統Ｎ２は、整流平滑回路４６Ｂと、ＤＣ−ＤＣ変換回路４７Ｂとを備えている。整流平滑回路４６Ｂ及びＤＣ−ＤＣ変換回路４７Ｂは、実施形態４の整流平滑回路４６及びＤＣ−ＤＣ変換回路４７と同様に構成されている。本変形例のＤＣ−ＤＣ変換回路４７Ｂは、制御回路４２の制御に応じて、整流平滑回路４６Ｂの出力電流の電流値の大きさを変化させ、その変化させた電流を発光モジュール１の第２種類の発光素子５２に出力する。
【０１３３】
制御回路４２は、調光操作部４３に入力された操作に基づいて、ＤＣ−ＤＣ変換回路４７Ａ，４７Ｂを別々に制御する。これにより、発光モジュール１に供給される電流の電流値が、調光操作部４３に入力された所望の強度に対応する電流値に制御される。また、制御回路４２は、ＤＣ−ＤＣ変換回路４７Ａ，４７Ｂを別々に制御するため、発光素子５１，５２に供給される電力を別々に制御できる。これにより、発光素子５１，５２の定格電流又は使用電流範囲が異なる場合でも、発光素子５１，５２に最適な電流値の電流を供給できる。
【０１３４】
以上、本変形例の照明装置４０によれば、複数の出力系統Ｍ１，Ｍ２を有し、複数の出力系統Ｍ１，Ｍ２によって、複数種類の発光素子５１，５２に別々に電力を供給できる。このため、複数種類の発光素子５１，５２に供給する電流の電流値を個別に制御でできる。これにより、発光素子５１，５２毎に最適な電流値の電流を供給でき、各種類の発光素子５１，５２の寿命を延ばすことができる。また、複数種類の発光素子５１，５２に流れる電流の電流値を制御するとき（例えば照明装置４０の照明光を調光するとき）、発光素子５１，５２毎に電流制御量を異ならせることができる。これにより、発光素子５１，５２毎に最適な電流制御量を設定でき、各種類の発光素子５１，５２の寿命を延ばすことができる。
【０１３５】
（実施形態４の効果）
以上説明したように、実施形態４に係る照明装置４０は、発光モジュール１と、電源装置４１と、を備えている。電源装置４１は、発光モジュール１の複数種類の発光素子５に供給される電力を制御する。
【０１３６】
この構成によれば、実施形態１〜３の発光モジュール１の効果を奏する照明装置４０を提供できる。また、複数種類の発光素子５の電気的変動が、複数種類の発光素子５に供給される電力の制御で制御可能であるため、発光モジュール１が発する光合成光において、電源装置４１の電力制御に伴う光色の変化を低減できる。
【符号の説明】
【０１３７】
１  発光モジュール
３  回路基板（基板）
５  発光素子
４０  照明装置
４１  電源装置
５１  第１種類の発光素子
５２  第２種類の発光素子
５４  第３種類の発光素子
Ａ（Ｉ０），Ａ（Ｖ０）  第１座標位置
Ｂ（Ｉ０），Ｂ（Ｖ０）  第２座標位置
Ｃ（Ｉ０），Ｃ（Ｖ０）  第３座標位置
Ｄ（Ｉ０），Ｄ（Ｖ０）  第４座標位置
【図１】
2020021622.tif 000003
【図２】
2020021622.tif 000004
【図３】
2020021622.tif 000005
【図４】
2020021622.tif 000006
【図５】
2020021622.tif 000007
【図６】
2020021622.tif 000008
【図７】
2020021622.tif 000009
【図８】
2020021622.tif 000010
【図９】
2020021622.tif 000011
【図１０】
2020021622.tif 000012
【図１１】
2020021622.tif 000013
【図１２】
2020021622.tif 000014
【図１３】
2020021622.tif 000015
【図１４】
2020021622.tif 000016
【図１５】
2020021622.tif 000017
【図１６】
2020021622.tif 000018
【図１７】
2020021622.tif 000019
【図１８】
2020021622.tif 000020